(57)【要約】【課題】保護すべき入力情報をソフトキーボードで入力しなければならず、文字入力の効率が悪い。【解決手段】情報入力装置２００に接続され、情報入力装置２００から情報伝送路４１を介して入力される情報を保護する入力情報保護装置１００であって、情報入力装置２００から入力される入力情報が保護する必要がある情報であるか否かを判断する入力情報判断部１２と、情報伝送路４１が暗号化されているか否かを管理する伝送路管理部１３と、情報入力装置２００に対して入力情報の暗号化を指示する暗号化指示部１４とを備え、暗号化指示部１４は、入力情報が保護する必要がある情報であり、かつ、情報伝送路４１が暗号化されていない場合、入力情報の暗号化を指示することを特徴とする入力情報保護装置１００。【選択図】図２
2012068919.tif 000002
【特許請求の範囲】
【請求項１】
情報入力装置に接続され、前記情報入力装置から情報伝送路を介して入力される情報を保護する入力情報保護装置であって、
前記情報入力装置から入力される入力情報が保護する必要がある情報であるか否かを判断する入力情報判断部と、
前記情報伝送路が暗号化されているか否かを管理する伝送路管理部と、
前記情報入力装置に対して入力情報の暗号化を指示する暗号化指示部と
を備え、
前記暗号化指示部は、前記入力情報が保護する必要がある情報であり、かつ、前記情報伝送路が暗号化されていない場合、前記入力情報の暗号化を指示する
ことを特徴とする入力情報保護装置。
【請求項２】
情報入力装置に接続され、前記情報入力装置から情報伝送路を介して入力される情報を保護する入力情報保護装置における入力情報保護方法であって、
前記情報入力装置から入力される入力情報が保護する必要がある情報であるか否かを判断するステップと、
前記情報伝送路が暗号化されているか否かを管理するステップと、
前記情報入力装置に対して入力情報の暗号化を指示するステップと
を備え、
前記入力情報が保護する必要がある情報であり、かつ、前記情報伝送路が暗号化されていない場合、前記入力情報の暗号化を指示する
ことを特徴とする入力情報の保護方法。
【発明の詳細な説明】
【技術分野】
【０００１】
本発明は、入力情報保護装置および入力情報保護方法に関し、特に情報入力装置からの入力情報の傍受を防ぐための入力情報保護技術に関するものである。
【背景技術】
【０００２】
従来から文字入力等の情報入力は、端末に接続されているキーボードで行われることが多く、キーボードからの入力データを端末に送信する際に入力データの傍受が課題となっている。
【０００３】
この課題を解決するために、ディスプレイとキーボードとポインティングデバイスとを有する通信端末において、ディスプレイに表示された入力画面の中の、通常の入力情報はキーボードによって入力され、保護されるべき入力情報は、入力情報が傍受されるのを回避するため、ソフトキーボードを画面に表示させ、ポインティングデバイスによって入力させることで、傍受を回避するものがある（例えば、特許文献１）。
【先行技術文献】
【特許文献】
【０００４】
【特許文献１】特開２００５−２８４８６０号公報
【発明の概要】
【発明が解決しようとする課題】
【０００５】
しかし、従来にあっては、以下のような課題があった。
【０００６】
つまり、保護されるべき入力情報は、画面に表示されたソフトキーボードとポインティングデバイスを用いて入力しなければならないので、入力効率が悪くユーザのわずらわしさが発生するという課題を有していた。
【０００７】
また、保護される入力情報を入力する状態で、ユーザが誤ってキーボードから文字入力した場合、情報が傍受されてしまう課題も有している。
【０００８】
本発明は、前記従来の課題を解決するもので、ユーザの入力のわずらわしさを解消し、ユーザのミスによる文字入力の傍受を回避する入力情報保護装置および入力情報保護法法を提供することを目的とする。
【課題を解決するための手段】
【０００９】
本発明の入力情報保護装置は、情報入力装置に接続され、前記情報入力装置から情報伝送路を介して入力される情報を保護する入力情報保護装置であって、前記情報入力装置から入力される入力情報が保護する必要がある情報であるか否かを判断する入力情報判断部と、前記情報伝送路が暗号化されているか否かを管理する伝送路管理部と、前記情報入力装置に対して入力情報の暗号化を指示する暗号化指示部とを備え、前記暗号化指示部は、前記入力情報が保護する必要がある情報であり、かつ、前記情報伝送路が暗号化されていない場合、前記入力情報の暗号化を指示することを特徴とする。
【００１０】
また、本発明の入力情報保護方法は、情報入力装置に接続され、前記情報入力装置から情報伝送路を介して入力される情報を保護する入力情報保護装置における入力情報保護方法であって、前記情報入力装置から入力される入力情報が保護する必要がある情報であるか否かを判断するステップと、前記情報伝送路が暗号化されているか否かを管理するステップと、前記情報入力装置に対して入力情報の暗号化を指示するステップとを備え、前記入力情報が保護する必要がある情報であり、かつ、前記情報伝送路が暗号化されていない場合、前記入力情報の暗号化を指示することを特徴とする。
【００１１】
本発明の入力情報保護装置および入力情報保護方法によれば、情報入力装置からの入力情報が保護すべき情報であり、かつ、情報入力装置との情報伝送路が暗号化されていない場合、情報入力装置に対して入力情報の暗号化を指示するので、ソフトキーボード入力によるユーザの文字入力のわずらわしさを解消できるとともに、暗号化されていない情報伝送路で誤ってユーザがキーボード入力しても入力情報を傍受されるリスクを軽減することができる。
【発明の効果】
【００１２】
本発明の入力情報保護装置および入力情報保護方法によれば、情報入力装置からの入力情報が保護すべき情報であり、かつ、情報入力装置との情報伝送路が暗号化されていない場合、情報入力装置に対して入力情報の暗号化を指示するので、ソフトキーボード入力によるユーザの文字入力のわずらわしさを解消できるとともに、暗号化されていない情報伝送路で誤ってユーザがキーボード入力しても入力情報を傍受されるリスクを軽減することができる。
【図面の簡単な説明】
【００１３】
【図１】本発明の実施例１における入力情報保護装置および情報入力装置の構成を示すブロック図。
【図２】本発明の実施例１における入力情報保護装置の暗号化指示部の動作を示すフローチャート。
【発明を実施するための形態】
【００１４】
以下本発明を実施するための形態について、図面を参照しながら説明する。
【実施例１】
【００１５】
＜入力情報保護装置１００および情報入力装置２００の構成と機能＞
図１は、本発明の実施例１における入力情報保護装置および情報入力装置の構成を示すブロック図である。
【００１６】
入力情報保護装置１００は、表示部１１、入力情報判断部１２、伝送路管理部１３、暗号化指示部１４、無線モジュール１５から構成される。
【００１７】
また、情報入力装置２００は、キーボード２１、文字制御部２２、無線モジュール２３から構成される。
【００１８】
入力情報保護装置１００において、表示部１１は、パスワード等の情報の入力を情報入力装置２００に促す際に、情報入力のための入力枠を表示する。入力手段判断部１２は、情報入力装置２００から入力される入力情報がパスワード等の保護する必要がある情報であるか否かを判断する。伝送路管理部１３は、情報伝送路４１が暗号化されているか否かを常時管理している。暗号化指示部１４は、入力情報保護装置１００から情報入力装置２００に情報の入力を促す際、該情報がパスワード等の保護する必要がある情報であるかを入力情報判断部１２に問い合わせるとともに、伝送路管理部１３に情報伝送路４１が暗号化されているか否かを問い合わせ、問い合わせた結果を元に、無線モジュール１５および情報伝送路１４を通して、情報入力装置２００に所定の指示を与える。
【００１９】
情報入力装置２００において、キーボード２１は、ユーザが文字入力等を行うためのものである。文字制御部２２は、入力情報保護装置１００から情報の入力を促され、ユーザがキーボード２１を用いて入力した文字を、暗号化指示部１４からの所定の指示に基づき暗号化するか否かを制御し、無線モジュール２３および情報伝送路４１を通して、入力情報保護装置１００に送る。
【００２０】
ＡＰ（Ａｃｃｅｓｓ  Ｐｏｉｎｔ）３１は、無線モジュールの管理および装置間で送受信される情報をルーティングするモジュールである。
【００２１】
なお、表示部１１、無線モジュール１５および２３は入力情報保護装置１００および情報入力装置２００に内蔵されている必要はない。また、本実施例において、入力情報保護装置１００および情報入力装置２００間の情報の送受信を無線にて行っているが、これに限らず有線で行っても良い。
＜入力情報保護装置１００の暗号化指示部１４の動作＞
次に本発明の実施例１における入力情報保護装置１００の暗号化指示部１４の動作を、図２のフローチャートを用いて説明する。
【００２２】
暗号化指示部１４は、入力情報保護装置１００から情報入力装置２００に情報の入力を促す際、該情報がパスワード等の保護する必要がある情報であるかを入力情報判断部１２に問い合わせる（ステップＳ２０１）。
【００２３】
暗号化指示部１４は、該情報がパスワード等の保護する必要がない情報の場合（ステップＳ２０１でＮｏ）、無線モジュール１５および情報伝送路４１を介して、ユーザにキーボード２１での入力許可を与える（ステップＳ２０４）。
【００２４】
一方、該情報がパスワード等の保護する必要がある情報である場合（ステップＳ２０１でＹｅｓ）、暗号化指示部１４は、伝送路管理部１３に情報伝送路４１が暗号化されているか否かを問い合わせる（ステップＳ２０２）。
【００２５】
暗号化指示部１４は、情報伝送路１４が暗号化されている場合（ステップＳ２０２でＹｅｓ）、無線モジュール１５および情報伝送路４１を介して、ユーザにキーボード２１での入力許可を与える（ステップＳ２０４）。
【００２６】
一方、情報伝送路１４が暗号化されていない場合（ステップＳ２０２でＮｏ）、暗号化指示部１４は、無線モジュール１５および情報伝送路４１を介して、情報入力装置２００にキーボード入力された文字（入力情報）の暗号化を指示する（ステップＳ２０３）。入力情報の暗号化指示を受けた情報入力装置２００の文字制御部２２は、ユーザがキーボード２１を用いて入力した文字（入力情報）を暗号化し、無線モジュール２３および情報伝送路４１を介して、入力情報保護装１００に送る。
【００２７】
暗号化指示部１４は、情報入力装置２００に入力情報の暗号化を指示した後、無線モジュール１５および情報伝送路４１を介して、ユーザにキーボード２１での入力許可を与える（ステップＳ２０４）。
【００２８】
なお、図２のステップＳ２０４において、ユーザにキーボード入力の是非を確認するステップを設けても良い。ユーザが置かれている状況からユーザが情報伝送路４１や文字制御部２２における入力情報の暗号化を破られることを危惧する場合、キーボード２１からの入力を禁止することで、入力情報を傍受されるリスクをより柔軟に軽減することができる。
【００２９】
本発明の入力情報保護装置および入力情報保護方法によれば、情報入力装置からの入力情報が保護すべき情報であり、かつ、情報入力装置との情報伝送路が暗号化されていない場合、情報入力装置に対して入力情報の暗号化を指示するので、ソフトキーボード入力によるユーザの文字入力のわずらわしさを解消できるとともに、暗号化されていない情報伝送路で誤ってユーザがキーボード入力しても入力情報を傍受されるリスクを軽減することができる。
【産業上の利用可能性】
【００３０】
本発明の入力情報保護装置および入力情報保護法法によれば、情報入力装置からの入力情報が保護すべき情報であり、かつ、情報伝送路が暗号化されていない場合、情報入力装置に対して入力情報の暗号化を指示するので、ソフトキーボード入力によるユーザの文字入力のわずらわしさを解消できるとともに、暗号化されていない情報伝送路で誤ってユーザがキーボード入力しても入力情報を傍受されるリスクを軽減することができ、入力情報保護技術として有用である。
【符号の説明】
【００３１】
１１    表示部
１２    入力情報判断部
１３    伝送路管理部
１４    暗号化指示部
１５    無線モジュール
２１    キーボード
２２    文字制御部
２３    無線モジュール
３１    ＡＰ
４１    情報伝送路
１００    入力情報保護装置
２００    情報入力装置
【図１】
2012068919.tif 000003
【図２】
2012068919.tif 000004